(57)【要約】【課題】位相差ＡＦとコントラストＡＦの２方式を併用するハイブリッドＡＦにおいて、被写体の状況に応じて撮影者の意思でコントラストＡＦへの切り替えを可能とする。【解決手段】モード切替ボタン２１０をレリーズボタン２００とは異なる位置に設ける。レリーズボタン２００の半押し操作による撮影準備状態においてモード切替ボタン２１０が操作された場合、位相差ＡＦからコントラストＡＦによる焦点検出に切り替える。モード切替ボタン２１０が操作されない場合には、レリーズボタン２００が全押し操作された後、コントラストＡＦを動作させて焦点検出／調節を行い、撮影動作に移行する。モード切替ボタン２１０が操作されてコントラストＡＦが行われている間は、撮像素子２０の出力信号に基づき被写体像を表示部６０に表示して、撮影者がファインダを介して被写体の動きを把握可能とする。【選択図】図１
2007232832.tif 000002
【特許請求の範囲】
【請求項１】
撮影レンズの焦点調節状態を検出する第一の焦点検出手段と、
前記第一の焦点検出手段とは異なる方式で被写体像の焦点調節状態を検出する第二の焦点検出手段と、
前記第一の焦点検出手段の動作中に前記第二の焦点検出手段を動作させる作動手段とを備えることを特徴とする焦点検出装置。
【請求項２】
請求項１に記載の焦点検出装置を備え、
前記作動手段は、前記第一の焦点検出手段が動作した後に撮影動作が開始されると、前記第二の焦点検出手段を動作して撮影を行うことを特徴とするカメラ。
【請求項３】
請求項１に記載の焦点検出装置を備え、
前記作動手段は、前記第一の焦点検出手段が動作した後に撮影動作が開始されると、前記第二の焦点検出手段を動作させずに撮影を行うことを特徴とするカメラ。
【請求項４】
請求項１に記載の焦点検出装置と、
撮影動作を開始するレリーズボタンと、
前記作動手段によって前記第二の焦点検出手段を動作させるための操作部材であって、前記レリーズボタンとは異なる操作部材とを備えることを特徴とするカメラ。
【請求項５】
請求項２または３に記載のカメラにおいて、
撮影動作を開始するレリーズボタンと、
前記作動手段によって前記第二の焦点検出手段を動作させるための操作部材であって、前記レリーズボタンとは異なる操作部材とを備えることを特徴とするカメラ。
【請求項６】
請求項４または５に記載のカメラにおいて、
前記操作部材はレンズ鏡筒上に設けられることを特徴とするカメラ。
【請求項７】
請求項４乃至６のいずれか一項に記載のカメラにおいて、
前記作動手段は、前記操作部材が操作されている間に前記第二の焦点検出手段を動作させることを特徴とするカメラ。
【請求項８】
請求項４乃至６のいずれか一項に記載のカメラにおいて、
前記作動手段は、前記操作部材が操作されるたびに前記第二焦点検出手段の動作と不動作を切り換えることを特徴とするカメラ。
【請求項９】
請求項４乃至８のいずれか一項に記載のカメラにおいて、
被写体像を撮像して撮像信号を出力する撮像手段と、
前記撮像信号による画像を表示する表示手段とをさらに備え、
前記表示手段は、前記第二の焦点検出手段の動作中に、前記表示部に前記画像を表示することを特徴とするカメラ。
【請求項１０】
請求項６に記載のカメラに着脱可能に用いられることを特徴とするレンズ鏡筒。
【請求項１１】
撮影レンズの焦点調節状態を検出する第一の焦点検出手段を動作した後、前記第一の焦点検出手段の動作中に前記第一の焦点検出手段とは異なる方式で被写体像の焦点調節状態を検出する第二の焦点検出手段を動作させることを特徴とする焦点検出方法。
【請求項１２】
撮影レンズの焦点調節状態を検出する第一の焦点検出手段を動作する処理と、
前記第一の焦点検出手段が動作した後に、前記第一の焦点検出手段の動作中に前記第一の焦点検出手段とは異なる方式で被写体像の焦点調節状態を検出する第二の焦点検出手段を動作する処理をコンピュータに実行させるための焦点検出プログラム。
【発明の詳細な説明】
【技術分野】
【０００１】
本発明は、カメラと、これに用いる焦点検出装置、焦点検出方法、焦点検出プログラムおよびレンズ鏡筒に関する。
【背景技術】
【０００２】
従来から、位相差ＡＦとコントラストＡＦの２方式を併用するハイブリッドＡＦが知られている。下記特許文献１には、レンズ情報に基づいて位相差ＡＦからコントラストＡＦへ自動的に切り替えるものが開示されている。
【特許文献１】特開２００３−２９１３５号公報
【発明の開示】
【発明が解決しようとする課題】
【０００３】
しかし、被写体の状況に応じて撮影者の意思でコントラストＡＦへ切り替えることができない。
【課題を解決するための手段】
【０００４】
請求項１の発明による焦点検出装置は、撮影レンズの焦点調節状態を検出する第一の焦点検出手段と、第一の焦点検出手段とは異なる方式で被写体像の焦点調節状態を検出する第二の焦点検出手段と、第一の焦点検出手段の動作中に第二の焦点検出手段を動作させる作動手段とを備えることを特徴とする。
請求項２の発明によるカメラは、請求項１に記載の焦点検出装置を備え、作動手段は、第一の焦点検出手段が動作した後に撮影動作が開始されると、第二の焦点検出手段を動作して撮影を行うことを特徴とする。
請求項３の発明によるカメラは、請求項１に記載の焦点検出装置を備え、作動手段は、第一の焦点検出手段が動作した後に撮影動作が開始されると、第二の焦点検出手段を動作させずに撮影を行うことを特徴とする。
請求項４の発明によるカメラは、請求項１に記載の焦点検出装置と、撮影動作を開始するレリーズボタンと、作動手段によって第二の焦点検出手段を動作させるための操作部材であって、レリーズボタンとは異なる操作部材とを備えることを特徴とする。
請求項５に記載の発明は、請求項２または３に記載のカメラにおいて、撮影動作を開始するレリーズボタンと、作動手段によって第二の焦点検出手段を動作させるための操作部材であって、レリーズボタンとは異なる操作部材とを備えることを特徴とする。
請求項６に記載の発明は、請求項４または５に記載のカメラにおいて、操作部材はレンズ鏡筒上に設けられることを特徴とする。
請求項７に記載の発明は、請求項４乃至６のいずれか一項に記載のカメラにおいて、作動手段は、操作部材が操作されている間に第二の焦点検出手段を動作させることを特徴とする。
請求項８に記載の発明は、請求項４乃至６のいずれか一項に記載のカメラにおいて、作動手段は、操作部材が操作されるたびに第二焦点検出手段の動作と不動作を切り換えることを特徴とする。
請求項９に記載の発明は、請求項４乃至８のいずれか一項に記載のカメラにおいて、被写体像を撮像して撮像信号を出力する撮像手段と、撮像信号による画像を表示する表示手段とをさらに備え、表示手段は、第二の焦点検出手段の動作中に、表示部に画像を表示することを特徴とする。
請求項１０の発明によるレンズ鏡筒は、請求項６に記載のカメラに着脱可能に用いられることを特徴とする。
請求項１１に記載の発明は、請求項１に記載の焦点検出装置に対応する焦点検出方法である。
請求項１２に記載の発明は、請求項１に記載の焦点検出装置と同様の処理をコンピュータで実行するためのプログラムである。
【発明の効果】
【０００５】
本発明によれば、第一の焦点検出手段による焦点検出中に、撮影者の意思により第二の焦点検出手段を動作させることができる。
【発明を実施するための最良の形態】
【０００６】
以下、図面に基づき、焦点検出装置付き一眼レフデジタルカメラの実施形態を説明する。この実施の形態のカメラは、いわゆる位相差ＡＦと、コントラストＡＦと、これら両ＡＦを併用するハイブリッドＡＦとを選択的に用いることにより焦点検出／調節を行うものである。
【０００７】
図１は、本発明によるカメラの要部構成を説明するブロック図である。カメラボディ１０には、撮影レンズ１２０を備えるレンズ鏡筒１１０が交換可能に装着されている。レンズ鏡筒１１０内には、レンズ群１２０ａ〜１２０ｃから成る撮影レンズ１２０、ＡＦ駆動モータ１３０、絞り部材１４０が設けられている。レンズ群１２０ｂは、ＡＦ駆動モータ１３０で駆動される焦点調節レンズである。
【０００８】
カメラボディ１０の内部には、被写体を撮像するための撮像素子２０が設けられている。撮像素子２０はＣＣＤやＣＭＯＳ等が使用される。撮影レンズ１２０と撮像素子２０との間には、撮影レンズ１２０を通過した被写体光をファインダ光学系へと反射するクイックリターンミラー７０が配設されている。被写体光の一部はクイックリターンミラー７０の半透過領域を透過し、サブミラー８０にて下方に反射された後に位相差ＡＦセンサ１００へ入射される。
【０００９】
位相差ＡＦセンサ１００は、たとえば、焦点検出光束を一対の焦点検出用光像に瞳分割する焦点検出光学系と、瞳分割された一対の光像が入射し、それに応じた焦点検出信号を出力する一対のＣＣＤラインセンサとを備える。ＣＣＤラインセンサから出力される焦点検出信号は制御回路３００に入力され、後述するように、制御回路３００は、焦点調節レンズ１２０ｂを合焦位置まで駆動させるレンズ駆動信号を出力する。
【００１０】
クイックリターンミラー７０で反射された被写体光は、撮像素子２０と光学的に等価な位置に設けられたファインダスクリーン（焦点板）９０上に結像する。ファインダスクリーン９０上に結像された被写体像は、ペンタプリズム３０からリレーレンズ５０を通って表示部６０に導かれるとともに、ペンタプリズム３０から測光素子４０の受光面上に結像する。このとき、表示部６０を透過した被写体像を観察することができる。
【００１１】
撮影の際および撮影前のコントラストＡＦ動作中には、クイックリターンミラー７０が被写体光の光路上から光路外へと移動され、撮像素子２０上に被写体像が結像される。このとき撮像素子２０からの撮像信号は、制御回路３００を介して表示部６０へ出力される。表示部６０においては、表示部６０の側面に配置された液晶表示部に映し出された被写体像が、表示部６０の内部に斜設された偏光ビームスプリッタおよび不図示のホログラムなどにより反射され、撮影者に観察可能に表示される。
【００１２】
制御回路３００はＣＰＵ、ＲＯＭ、ＲＡＭおよび各種周辺回路から構成されている。図１に示すように、機能的には、位相差ＡＦセンサ１００を制御するＣＣＤ制御部２２０と、予定焦点面に対する結像面の像面ずれ量（以下、デフォーカス量と呼ぶ）を演算するデフォーカス量演算部２４０と、撮像素子２０から出力される撮像信号に基づいて焦点評価値を演算するコントラスト検出部２３０と、デフォーカス量に基づいて焦点調節レンズ１２０ｂの駆動量を演算するレンズ駆動量演算部２５０と、レンズ駆動量演算部２５０での演算結果に基づいて焦点調節レンズ１２０ｂを駆動するレンズ駆動制御部２６０とを備えている。
【００１３】
デフォーカス量演算部２４０は、ＣＣＤ制御部２２０から出力される蓄積信号に基づいて周知のデフォーカス量演算を行う。すなわち、撮影レンズ１２０の射出瞳の異なる領域を通過する一対のデフォーカス量検出用光束による被写体像のそれぞれは、一対のＣＣＤラインセンサのそれぞれに入射する。一対のＣＣＤラインセンサから出力される信号を相関演算することにより、２つの像の相対位置ずれ量（相対間隔）が算出される。この一対のＣＣＤラインセンサ上の一対の被写体像は、撮影レンズ１２０が予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態では、一対の被写体像が相対的に一致する。このように、一対の被写体像の相対位置ずれ量を求めることにより、撮影レンズ１２０のフォーカス調節状態、すなわちデフォーカス量が得られる。
【００１４】
コントラスト検出部２３０は、撮像素子２０から出力される撮像信号から高周波成分を抽出して周知の焦点評価値演算を行う。撮影レンズ１２０が撮像素子２０上に尖鋭像を結ぶ合焦状態では、被写体像のエッジのボケが最小となりコントラストは最大になるので、焦点評価値も最大となる。
【００１５】
レンズ駆動量演算部２５０は、デフォーカス量演算部２４０によって算出されたデフォーカス量に基づいてレンズ駆動量を算出する。レンズ駆動量演算部２５０で演算されたレンズ駆動量に基づいて、レンズ駆動制御部２６０は、ＡＦ駆動モータ１３０を駆動制御する。ＡＦ駆動モータ１３０は、レンズ駆動制御部２６０からの信号に応じて焦点調節レンズ１２０ｂを光軸方向に移動させ、これにより、焦点調節状態が調節される。また、レンズ駆動制御部２６０は、ＡＦ駆動モータ１３０を制御してレンズを駆動しながらコントラスト検出部２３０で検出される焦点評価値が最大になる位置にレンズを駆動する（いわゆる山登り方式）。なお、レンズ駆動量演算部２５０は、山登り方式におけるレンズ駆動ステップを決定してレンズ駆動制御部２６０へ出力する。
【００１６】
カメラボディ１０の外面には、レリーズボタン２００とモード切替ボタン２１０とが設けられている。半押しスイッチ２００ａは、レリーズボタン２００の操作に連動し、半押し操作信号を後述の制御回路３００へ出力する。半押しスイッチ２００ａは、レリーズボタン２００が全ストロークの半分程度までの押下操作に対応してオンし、半ストロークの押下操作解除でオフする。制御回路３００は、半押し操作信号が入力されている間は位相差ＡＦによる焦点検出を指示する。すなわち、位相差ＡＦを動作させる。このとき、デジタルカメラは撮影準備状態となる。全押しスイッチ２００ｂは、レリーズボタン２００の操作に連動し、全押し操作信号を制御回路３００へ出力する。全押しスイッチ２００ｂは、レリーズボタン２００が全ストローク押下操作に対応してオンし、全ストロークの押下操作解除でオフする。制御回路３００は、全押し操作信号が入力されると撮影動作を指示する。
【００１７】
モード切替スイッチ２１０ａは、モード切替ボタン２１０の操作によりモード切替信号をオンオフするスイッチである。モード切替ボタン２１０は、レリーズボタン２００とは異なる位置に配置されている。レリーズボタン２００が半押しされている場合、すなわち撮影準備状態の場合にモード切替スイッチ２１０ａが入りモード切替信号が後述の制御回路３００へ出力されると、制御回路３００は、クイックリターンミラー７０とサブミラー８０とを退避位置まで移動させてコントラストＡＦによる焦点検出を開始する。制御回路３００は、モード切替スイッチ２１０ａからモード切替信号が出力されている間、コントラストＡＦによる焦点検出と焦点調節を行う。
【００１８】
実施の形態におけるデジタルカメラの動作について、図２に示すフローチャートを用いて説明する。なお、このフローチャートにおける各処理は、制御回路１１によりプログラムを起動して実行される。このフローチャートの処理は、半押しスイッチ２００ａから半押し操作信号が入力すると起動するプログラムにより開始される。
【００１９】
ステップＳ１０１では、前述の位相差ＡＦを行いステップＳ１０２へ進む。ステップＳ１０２では、モード切替スイッチ２１０ａが入ってモード切替信号がオンしたか否かを判定する。ステップＳ１０２が肯定された場合、すなわち、ステップＳ１０２において、モード切替信号がオンしたと判定された場合にはステップＳ１０９へ進む。ステップＳ１０２が否定された場合、すなわち、ステップＳ１０２において、モード切替信号がオンしていないと判定された場合にはステップＳ１０３へ進む。
【００２０】
ステップＳ１０３では、撮影レンズ１２０が合焦位置にあるか否かを判定する。ステップＳ１０３が肯定された場合、すなわち、ステップＳ１０３において、撮影レンズ１２０が合焦位置にあると判定された場合はステップＳ１０４へ進む。ステップＳ１０３が否定された場合、すなわち、ステップＳ１０３において、撮影レンズ１２０が合焦位置にないと判定された場合はステップＳ１０１へ戻る。なお、ステップＳ１０３における合焦位置にあるか否かの判定は、像ずれ量（デフォーカス量）が、予め定めた許容範囲内にあるか否かの判定である。
【００２１】
ステップＳ１０４では、レリーズボタン２００が全押しされたか否かを判定する。ステップＳ１０４が肯定された場合、すなわち、ステップＳ１０４において、全押し操作信号に基づいてレリーズボタン２００が全押しされたと判定された場合は、ステップＳ１０５へ進む。ステップＳ１０４が否定された場合、すなわち、ステップＳ１０４において、全押し操作信号に基づいてレリーズボタン２００が全押しされていないと判定された場合は待機する。
【００２２】
ステップＳ１０５では、クイックリターンミラー７０を被写体光の光路上から光路外へと移動させてステップＳ１０６へ進む。ステップＳ１０６では、前述のように表示部（電子ビューファインダ）６０に撮像素子２０からの撮像信号に基づいた被写体像を表示させて、ステップＳ１０７へ進む。ステップＳ１０７では、前述のコントラストＡＦによる焦点検出と焦点調節とを行い、ステップＳ１０８へ進む。ステップＳ１０８においては、ステップＳ１０３と同様にして撮影レンズ１２０が合焦位置にあるか否かを判定する。撮影レンズ１２０が合焦位置にある場合、ステップＳ１０８が肯定判定されてステップＳ１１４へ進み、撮影レンズ１２０が合焦位置にない場合はステップＳ１０８が否定判定されて、ステップＳ１０７へ戻る。
【００２３】
一方、ステップＳ１０２での判定が肯定されて進んだステップＳ１０９では、ステップＳ１０５と同様にクイックリターンミラー７０を被写体光の光路上から光路外へ移動させて、ステップＳ１１０へ進む。ステップＳ１１０では、ステップＳ１０６と同様に表示部（電子ビューファインダ）６０に撮像素子２０からの撮像信号に基づいた被写体像を表示させて、ステップＳ１１１へ進む。ステップＳ１１１では、ステップＳ１０７と同様にコントラストＡＦによる焦点検出と焦点調節とを行い、ステップＳ１１２へ進む。
【００２４】
ステップＳ１１２では、撮影レンズ１２０が合焦位置にあるか否かを判定する。ステップＳ１１２が肯定された場合、すなわち、ステップＳ１１２において、撮影レンズ１２０が合焦位置にあると判定された場合はステップＳ１１３へ進む。ステップＳ１１２が否定された場合、すなわち、ステップＳ１１２において、撮影レンズ１２０が合焦位置にないと判定された場合はステップＳ１１１へ戻る。なお、ステップＳ１１２における合焦位置にあるか否かの判定は、焦点評価値が最大となる合焦位置を基準とした所定の合焦判定域内に撮影レンズ１２０が存在するかの判定である。
【００２５】
ステップＳ１１３では、ステップＳ１０４と同様にレリーズボタン２００が全押しされたか否かを判定する。ステップＳ１１３が肯定された場合、すなわち、ステップＳ１１３において、全押し操作信号に基づきレリーズボタン２００が全押しされたと判定された場合は、ステップＳ１１４へ進む。ステップＳ１１３が否定された場合、すなわち、ステップＳ１１３において、全押し操作信号に基づいてレリーズボタン２００が全押しされていないと判定された場合はステップＳ１１２へ戻る。
【００２６】
ステップＳ１１４では、撮影動作を行いステップＳ１１５へ進む。ステップＳ１１５では、表示部６０による撮像素子２０からの撮像信号に基づいた被写体像の表示を停止させ、本フローチャートに示す処理を終了する。
【００２７】
以上で説明した実施の形態におけるデジタルカメラによれば、以下の作用効果が得られる。
（１）撮影準備状態において位相差ＡＦを行っている間に撮影者がモード切替ボタン２１０を操作してモード切替信号がオンした場合、クイックリターンミラー７０をアップさせて被写体像を撮像素子２０に結像させてコントラストＡＦを行うようにした。したがって、撮影者の判断により、被写体の状況に応じてコントラストＡＦによる焦点検出と焦点調節を行うことができる。
【００２８】
（２）撮影準備状態において位相差ＡＦを行っている間に撮影者によるモード切替操作が行われない場合でも、レリーズボタン２００が全押し操作されて、撮影状態に移行した場合には、コントラストＡＦを行ってから撮影を行うようにした。したがって、高精度の焦点検出を行うことができる。
【００２９】
（３）モード切替ボタン２１０を、レリーズボタン２００とは異なる位置であって、撮影者の操作が容易に行える位置に設置することにより、操作性を向上させることができる。モード切替ボタン２１０の設置位置は、カメラボディ１０やレンズ鏡筒１１０の形状や重量などに応じて、適宜決定することができる。
【００３０】
（４）撮影準備状態においてモード切替信号が出力されると、クイックリターンミラー７０をアップさせ、撮像素子２０からの出力信号に基づき被写体像を表示部（電子ビューファインダ）６０に表示するようにした。したがって、コントラストＡＦによる焦点検出動作中であっても、撮影者はファインダを介して被写体の動きを把握することができる。
【００３１】
なお、モード切替ボタン２１０を操作せず、レリーズボタン２００を全押し操作した場合は、コントラストＡＦを起動せず、位相差ＡＦによる焦点調節状態で撮影を行うようにしてもよい。この場合のデジタルカメラの動作を説明するフローチャートを図３に示す。図３に示すフローチャートは、モード切替ボタン２１０を操作しない場合は、図２のステップＳ１０７におけるコントラストＡＦによる焦点調節、およびステップＳ１０８における合焦判定を行なわずに、ステップＳ２１１へ進み、撮影を開始するものである。
【００３２】
このようなデジタルカメラによれば、上述した実施の形態のデジタルカメラによって得られる（１）、（３）および（４）に記載の作用効果に加えて、以下の作用効果が得られる。
撮影準備状態で位相差ＡＦを行っている間に、撮影者によるモード切替操作が行われずに全押し操作が行われて撮影状態へ移行した場合は、コントラストＡＦを行わず、位相差ＡＦの焦点検出結果により撮影レンズ１２０を位置決めして撮影するようにした。したがって、撮影者の判断により、焦点検出方式を位相差ＡＦ単独とするか位相差ＡＦとコントラストＡＦとによるハイブリッドＡＦとするかを選択することができるので、被写体の状況に応じた撮影ができる。
【００３３】
以上で説明した実施の形態を以下のように変形することができる。
（１）モード切替ボタン２１０をカメラボディ１０に設けずに、レンズ鏡筒１１０に設ける場合、次の点を考慮する。重量があり長大な望遠レンズなどの場合には、三脚座付近もしくはホールド位置付近にモード切替ボタン２１０を設けることにより、撮影者の操作性を向上させることができる。
【００３４】
（２）撮影者によりモード切替ボタン２１０が押下されている間のみモード切替スイッチ２１０ａからモード切替信号が出力されてコントラストＡＦを動作させると説明したが、モード切替ボタン２１０を押下操作する毎にモード切替信号をオンオフするようにしてもよい。この場合、モード切替ボタン２１０が操作されるごとに、コントラストＡＦの動作、不動作が制御される。また、モード切替ボタン２１０は回動式でもよい。
【００３５】
（３）位相差ＡＦとコントラストＡＦによるハイブリッドＡＦとして説明したが、位相差ＡＦに代えて外光式の測距装置（パッシブ式、アクティブ式）を用いたハイブリッドＡＦにも本発明を適用できる。
【００３６】
（４）本発明によるカメラは、一眼レフデジタルカメラに限定されるものではない。また、レンズ鏡筒１１０は交換可能なものとして説明したが、レンズ一体型のカメラに本発明を適用してもよい。
【００３７】
以上の実施の形態では、図２や図３のプログラムを制御回路３００に格納したデジタルカメラについて説明した。しかし、プログラムのバージョンアップ時などにおいて、インターネット経由や可搬記録媒体を介して既存ユーザに対するサポートを実施する場合もあり得る。したがって、本発明は、そのようなバージョンアップ用のソフトウエア、すなわち、焦点検出プログラムに対しても適用できる。
【００３８】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００３９】
【図１】本発明の実施の形態におけるデジタルカメラの基本構成を説明する図である。
【図２】本発明の実施の形態によるデジタルカメラの動作を説明するフローチャートである。
【図３】本発明のデジタルカメラにおいて、全押し操作後にコントラストＡＦを動作させない場合を説明するフローチャートである。
【符号の説明】
【００４０】
２０    撮像素子        ６０    表示部                １００  位相差ＡＦセンサ
１１０  レンズ鏡筒      ２１０  モード切替スイッチ    ２３０  コントラスト検出部
２４０  デフォーカス量演算部
【図１】
2007232832.tif 000003
【図２】
2007232832.tif 000004
【図３】
2007232832.tif 000005